(57)【特許請求の範囲】
【請求項１】
タッセルの両端に設けられたタッセルリングを房掛けの補助具として保持するタッセル保持具であって、
該タッセル保持具は、弾性線材の中間部を略逆Ｕ字状に折曲して、この折曲部を前記房掛けの取り付け軸に吊持される吊り下げ部となすとともに、該吊り下げ部の両側を前記房掛けの取り付け軸よりも幅狭に形成し、
前記弾性線材の一端部に、前記タッセルリングの一方を固定状態に保持する第１保持部を形成し、
前記弾性線材の他端部に、前記タッセルリングの他方を係脱自在に保持する第２保持部を形成した
ことを特徴とする房掛け用タッセル保持具。
【請求項２】
前記第１保持部が螺旋状に形成されている
ことを特徴とする請求項１に記載の房掛け用タッセル保持具。
【請求項３】
前記第１保持部が略Ｕ字状であって、且つ該第１保持部端部のタッセルリング抜き差し口が前記タッセルリングの厚さよりも狭く絞られている
ことを特徴とする請求項１に記載の房掛け用タッセル保持具。
【請求項４】
前記第１保持部と前記第２保持部とが前記吊り下げ部よりも下側に位置している
ことを特徴とする請求項１〜３のいずれかに記載の房掛け用タッセル保持具。 
【発明の詳細な説明】
【技術分野】
【０００１】
本発明は、房掛けに組み合わせて用いられ、房掛けに代わってタッセル両端のタッセルリングを保持する房掛け用タッセル保持具に関する。
【背景技術】
【０００２】
カーテンを両端または一端に引き寄せて束ねておくタッセルには数々の種類があるが、両端に小さなリング状又はＵ字状の紐からなるタッセルリングを有し、一方のタッセルリングを房掛けに掛けた後、束ねたカーテンにタッセルを周回させ、他方のタッセルリングを房掛けに掛け止めするタッセルが多い。
このタッセルを保持する房掛けは比較的単純な構成であり、一般に、壁や窓枠等にねじや接着剤で固定されるベース部と、該ベース部から室内側に突出して前記タッセルリングを保持するタッセル保持部とが設けられている。
【０００３】
しかしながら、カーテンをタッセルで束ねると、タッセルリングは房掛けのタッセル保持部において重なって掛装された状態となるので、タッセルリングの一方を外そうとすると他方のタッセルリングもタッセル保持部から抜け出てしまい、タッセル全体が外れて落ちてしまうことがある。
これを防止するために、タッセル保持部を２つに分けた房掛けや（例えば、特許文献１参照）、棒状のタッセル保持部をベース部から分離し、タッセルリングの一方をベース部から突出するリング部に掛け止めた後、リング部にタッセル保持部を挿し込んでタッセルリングの一方を固定し、タッセル保持部にタッセルリングの他方を掛け止めする房掛け（例えば、特許文献２参照）が提案されている。
【特許文献１】特開平１０−３２８０１７号公報
【特許文献２】特開平１１−１６９２８４号公報
【発明の開示】
【発明が解決しようとする課題】
【０００４】
しかしながら、上述の特許文献１，２で双方のタッセルリングが同時に外れることを防げるとしても、房掛けのタッセル保持部は、タッセルリングを掛け易くするためにタッセルリングのループの大きさに制約されるものとなる。
すなわち、房掛けのタッセル保持部は、どうしてもタッセルリングを掛け易くするために縦長の棒状やＬ字状などフックか小さな円盤状に形成せざるを得ない。このため、房掛けのデザインは従来からあまり代わり映えしないものが多いが、このような単純な構成の房掛けであっても、カーテンやタッセルととともに窓を装飾する要素として見栄えのよさは必要であり、デザインの自由度が高い房掛けが求められていた。
【０００５】
そこで本発明は、房掛けとしての装飾機能を高め、またタッセルの落下を防ぎつつタッセルを容易に掛け外しできるようにした房掛け用タッセル保持具を安価に提供することを目的としている。
【課題を解決するための手段】
【０００６】
前述の目的を達成するため、本発明は、房掛けのタッセル掛止部を保持する部分を純粋に装飾部とすべく、房掛けのベース部分から分離して別体の保持具を提供するものである。
すなわち、本発明の房掛け用タッセル保持具は、タッセルの両端に設けられたタッセルリングを房掛けの補助具として保持するタッセル保持具であって、該タッセル保持具は、弾性線材の中間部を略逆Ｕ字状に折曲して、この折曲部を前記房掛けの取り付け軸に吊持される吊り下げ部となすとともに、該吊り下げ部の両側を前記房掛けの取り付け軸よりも幅狭に形成し、前記弾性線材の一端部に、前記タッセルリングの一方を固定状態に保持する第１保持部を形成し、前記弾性線材の他端部に、前記タッセルリングの他方を係脱自在に保持する第２保持部を形成したことを特徴としている。
【０００７】
また、第１保持部を螺旋状に形成したり、あるいは第１保持部を略Ｕ字状に折曲して、第１保持部端部のタッセルリング抜き差し口をタッセルリングの厚さよりも狭く絞った形状にすることができる。また、第１保持部と第２保持部とを吊り下げ部よりも下側に位置させることも好ましい。
【発明の効果】
【０００８】
本発明によれば、房掛けに組み合わせするタッセル保持具がタッセルの保持を担うので、房掛けにはタッセルの保持にとらわれない自由度に富んだ創作を施しつつ、タッセルはタッセル保持具によって簡便に保持することができる。また、タッセル保持具は弾性線材を折曲して形成するので、製作が容易で且つ安価に製造することができる。
さらに、タッセル保持具を房掛けに装着するには、吊り下げ部の両側を拡げて房掛けの取り付け軸に差し込むだけの簡単に操作でよく、またタッセル保持具を房掛けの取り付け軸に装着した後には、吊り下げ部の両側が房掛けの取り付け軸よりも狭く絞られるので、タッセル保持具が房掛けからみだりに脱落することがない。
また、第１保持部を螺旋状やあるいは第１保持部を略Ｕ字状に折曲してその両側をタッセルリングよりも幅狭に絞った形状とすることにより、第１保持部を簡単に形成することができ、しかもタッセルリングの一方を第１保持部へ簡便に固定できるにもかかわらず、固定した一方のタッセルリングが第１保持部からみだりに脱落するのを有効に防止することができる。
さらに、吊り下げ部の両側に位置する第１保持部と第２保持部を吊り下げ部よりも下側に位置させることにより、タッセル保持具を見た目にもよくバランスよく房掛けに装着することができ、且つタッセルリングの掛け止めや取り外し作業も行いやすいというメリットがある。
【発明を実施するための最良の形態】
【０００９】
以下、本発明に係る実施例を図面に基づいて説明する。
図中、図１〜図３は本発明の第１実施例を示し、図１はタッセルを取り付ける前の房掛けとタッセル保持具の分解斜視図、図２はカーテンをまとめたタッセルをタッセル保持具に掛着した斜視図、図３は図２の要部斜視図、図４及び図５は本発明の第２実施例を示し、図４はタッセルを取り付ける前の房掛けとタッセル保持具の分解斜視図、図５はカーテンをまとめたタッセルをタッセル保持具に掛着した要部正面図である。
【００１０】
図１〜図３に示す第１実施例において、窓枠近傍の壁１には、装飾を主目的としたとした房掛け２に、補助具としてタッセル保持具３を組み合わせした房掛けユニット４が設けられており、図２及び図３では、窓枠の一側に引き寄せたカーテン５にタッセル６を周回させ、該タッセル６のタッセルリング６ａ，６ｂをタッセル保持具３に掛着することにより、カーテン５の束ね状態が保持されている。
【００１１】
前記房掛け２は、取り付け軸２ａの両端に大小のフランジ２ｂ，２ｃを一体に設けた房掛けベース２ｄと、該房掛けベース２ｄの一端に突出する小径ねじ部２ｅに螺着される装飾体２ｆとからなっている。装飾体２ｆは、例えば各種の彩りを施した合成樹脂や木目を生かした自然木等からなる装飾用の球体であって、房掛け２は、房掛けベース２ｄの他端に突出する大径ねじ部２ｇを前記壁１に螺着して固定される。
【００１２】
前記タッセル保持具３は、前記取り付け軸２ａに吊持される吊り下げ部３ａの両側に、タッセルリング６ａ，６ｂを固定または係脱自在に保持する第１保持部３ｂ及び第２保持部３ｃを１本の弾性線材を折曲して形成されており、吊り下げ部３ａは、取り付け軸２ａよりも大径の逆Ｕ字状に折曲し、さらにその両側を頸部３ｄとして取り付け軸２ａよりも幅狭に絞った形状に形成されている。
【００１３】
第１保持部３ｂは、タッセルリング６ａ，６ｂのいずれか一方を係脱が容易にはできない固定状態に保持するためのもので、頸部３ｄの一側部に連続する弾性線材を小さな螺旋状に一巻きして形成されており、その端部は吊り下げ部３ａの一方の弾性線材と重なるように位置している。
また第２保持部３ｃは、タッセルリング６ａ，６ｂの他方を係脱自在に保持するためのもので、頸部３ｄの一側部に連続する弾性線材をやや大きなＵ字状に折曲して形成されている。
【００１４】
タッセル保持具３は、前述のように壁１に固定された房掛け２の取り付け軸２ａの上方から組み付けされ、具体的には、吊り下げ部３ａの頸部３ｄを取り付け軸２ａの上にあててタッセル保持具３の全体を下方へ押動することにより、頸部３ｄが弾性線材の弾発力に抗して押し拡かれ、頸部３ｄが取り付け軸２ａの両側をすべって取り付け軸２ａが吊り下げ部３ａの内部に位置すると、頸部３ｄでは取り付け軸２ａの通過により弾性線材の弾発力によって幅狭な原形に復帰する。
これにより、吊り下げ部３ａが取り付け軸２ａから逆Ｕ字状に吊り下げられ、第１，第２保持部３ｂ，３ｃは上下高さに若干の違いはあるものの、吊り下げ部３ａよりも下側に位置し、タッセル保持具３は全体として取り付け軸２ａから弥次郎兵衛のように吊持される。
【００１５】
そして、螺旋状の第１保持部３ｂには、カーテン５を周回させたタッセル６のタッセルリング６ａ，６ｂの一方が固定され（図２，図３ではタッセルリング６ａ）、残りの他方がＵ字状の第２保持部３ｃに係脱自在に保持される（図２，図３ではタッセルリング６ｂ）。
【００１６】
本実施例は、以上のように構成されており、房掛け２に吊持されるタッセル保持具３は、第１保持部３ｂが線材を螺旋状に一巻きした簡単な形状でありながら、その螺旋形状によってタッセルリング６ａ，６ｂの一方を簡単な掛け止め操作で固定状態に保持するので、第１保持部３ｂに掛け止め後に手指が触れるなどしてもみだりにはずれることはない。また、Ｕ字状に折曲した第２保持部３ｃでは、タッセルリング６ａ，６ｂの他方を簡単且つ迅速に係脱することができる。
さらに、このようにしてタッセル６はタッセル保持具３が保持するため、タッセル保持具３と組み合わせされる房掛け２には、タッセル６にとらわれない装飾を施すことが可能で、デザイナーにあっては自身の創作力を房掛け２に充分に発揮することができ、一方ユーザにあっては創作性に富んだその意匠を充分に楽しめることとなる。
【００１７】
また、房掛け２に吊持されるタッセル保持具３には、タッセルリング６ａ，６ｂを係脱する際の手指やその他の外力が作用することがあるが、吊り下げ部３ａは頸部３ｄが取り付け軸２ａの軸径よりも狭く絞られ、しかも頸部３ｄにその原形を維持しようと弾性線材の弾発力が作用しているため、タッセル保持具３はタッセル保持具３を中心に弥次郎兵衛のごとく揺れるだけで、房掛け２からみだりに脱落することはない。
【００１８】
図４及び図５に示す第２実施例では、第１実施例と同形の房掛け２と第１実施例とは若干形状の異なるタッセル保持具１１とを組み合わせして房掛けユニット１０を構成している。
タッセル保持具１１は、吊り下げ部１１ａと第１保持部１１ｂ及び第２保持部１１ｃを弾性線材と飾り玉とで形成しており、このうち吊り下げ部１１ａは、弾性線材の中間部を房掛け２の取り付け軸２ａよりもやや大径の逆Ｕ字状に折曲して形成され、その両側を取り付け軸２ａよりも幅狭に絞って吊り下げ部１１ａの頸部１１ｄとなしている。
【００１９】
頸部１１ｄの一方に連続する弾性線材は、第１保持部１１ｂ寄り位置でやや小さなＵ字状に折り返され、このＵ字状折り返し部とその先端に固着される小径の飾り玉１２とで前記第１保持部１１ｂを構成している。飾り玉１２は吊り下げ部３ａの一方の弾性線材に近接するよう位置しており、これらで形成されるタッセルリング抜き差し口１１ｄをタッセルリング６ａ，６ｂの厚みよりも幅狭なものとしている。
頸部１１ｄの他方に連続する弾性線材は、第１保持部１１ｂから若干離れた位置でやや大きなＵ字状に折曲され、このＵ字状折曲部を前記第２保持部１１ｃとしており、第２保持部１１ｃの先端には装飾を目的とした飾り玉１３が固着されている。
【００２０】
以上のように構成される本実施例も前記第１実施例と同様に使用さられ、タッセル保持具１１は、房掛け２との組み合わせにより第１実施例と同様の効果を奏する。
【図面の簡単な説明】
【００２１】
【図１】本発明の第１実施例を示すタッセルを取り付ける前の房掛けとタッセル保持具の斜視図である。
【図２】本発明の第１実施例を示すカーテンをまとめたタッセルをタッセル保持具に掛着した斜視図である。
【図３】（ａ）本発明の第１実施例を示すカーテンをまとめたタッセルをタッセル保持具に掛着した要部断面正面図、（ｂ）本発明の第１実施例を示すタッセルをタッセル保持具に掛着した平面図である。
【図４】本発明の第２実施例を示すタッセルを取り付ける前の房掛けとタッセル保持具の分解斜視図である。
【図５】本発明の第２実施例を示すカーテンをまとめたタッセルをタッセル保持具に掛着した要部断面正面図である。
【符号の説明】
【００２２】
１…壁
２…房掛け
２ａ…取り付け軸
２ｆ…装飾体
３，１１…タッセル保持具
４，１０…房掛けユニット
５…カーテン
６…タッセル
６ａ，６ｂ…タッセルリング
３ａ，１１ａ…吊り下げ部
３ｂ，１１ｂ…第１保持部
３ｃ，１１ｃ…第２保持部
３ｄ，１１ｄ…頸部
１２，１３…飾り玉
【図１】
0004879204.tif 000002
【図２】
0004879204.tif 000003
【図３】
0004879204.tif 000004
【図４】
0004879204.tif 000005
【図５】
0004879204.tif 000006